(57)【要約】【課題】撮影の指示操作と撮影処理開始とのタイミングをずらして被写体が注目した望ましいタイミングで撮影を可能にする。【解決手段】カメラ部１０は、被写体を撮影して被写体画像を示すカメラ画像信号を生成出力する。デジタル制御部３０は、キー操作部６０のキー検出として、シャッタキー６１の押下検出と離し検出とを行う。押下検出がなされると、被写体の興味を引くために、映像再生部３２、音源再生部３３等により、シャッタ音、任意の音または音楽、動画像、光などの再生を行い、その後、離し検出がなされると、カメラ制御部３１により、撮影露光を開始して撮影処理を行う。【選択図】図１
2011045012.tif 000002
【特許請求の範囲】
【請求項１】
被写体を撮影して被写体画像を得る撮影部と、
撮影指示の操作入力を行う操作入力部と、
ユーザによる前記操作入力部の操作に基づき、前記撮影指示の操作タイミングに対して意図的にずらしたタイミングで前記撮影部の撮影処理を実行させるカメラ制御部と、
前記撮影指示の操作入力があったときに被写体に対して視聴覚に感応する報知を行う報知部と、
を備える撮影装置。
【請求項２】
請求項１に記載の撮影装置であって、
前記操作入力部は、前記撮影指示の押下操作を行うためのシャッタキーを有し、
前記カメラ制御部は、前記操作入力部の操作入力検出として、前記シャッタキーの押下操作時の押下検出と、このシャッタキーの他の操作または他のキーの操作に関する他の操作検出とを行い、前記押下検出後に前記他の操作検出が行われたときに前記撮影部の撮影処理を開始させる撮影装置。
【請求項３】
請求項２に記載の撮影装置であって、
前記カメラ制御部は、前記操作入力部の操作入力検出として、前記シャッタキーの押下操作時の押下検出と離し操作時の離し検出とを行い、前記押下検出後に前記離し検出が行われたときに前記撮影部の撮影処理を開始させる撮影装置。
【請求項４】
請求項１に記載の撮影装置であって、
前記操作入力部は、前記撮影指示の押下操作を行うためのシャッタキーを有し、
前記カメラ制御部は、前記操作入力部の操作入力検出として、前記シャッタキーの押下操作時の押下検出を行い、前記押下検出が行われてから所定の設定タイマ時間の経過後に前記撮影部の撮影処理を開始させる撮影装置。
【請求項５】
請求項１に記載の撮影装置であって、
前記報知部は、カメラのシャッタ音、任意の音、音楽、動画像、光のうちの少なくとも一つによって被写体に対する報知を行う撮影装置。
【請求項６】
請求項５に記載の撮影装置であって、
前記報知部は、前記撮影指示の操作入力があってから前記撮影部の撮影処理の実行開始までの期間において、装置内に記憶してある任意の音または音楽を再生出力する撮影装置。
【請求項７】
請求項５に記載の撮影装置であって、
前記報知部は、前記撮影指示の操作入力があってから前記撮影部の撮影処理の実行開始までの期間において、装置内に記憶してある任意の動画像または静止画像を再生出力する撮影装置。
【請求項８】
請求項５に記載の撮影装置であって、
前記報知部は、前記撮影指示の操作入力があってから前記撮影部の撮影処理の実行開始までの期間において、任意の発光パターンによる光を点滅または点灯する撮影装置。
【発明の詳細な説明】
【技術分野】
【０００１】
本発明は、被写体を撮影する撮影装置に関する。
【背景技術】
【０００２】
カメラ機能を持つ携帯電話装置、携帯情報端末、あるいはデジタルカメラなど、各種の撮影装置では、シャッタボタン等の所定操作部の操作により、撮影時のシャッタ音を発して被写体の撮影動作を実行する。
【０００３】
例えば、特許文献１には、シャッタ操作に基づいて出力されるシャッタ音等の効果音について、ユーザが所望の音を選択して設定できるようにした撮影装置が開示されている。また、特許文献２には、撮影する対象の視線を集中させるために、撮影までの時間を知らせるセルフタイマ音と撮影を知らせる準備音とを再生するカメラ付き携帯用端末機の撮影方法が開示されている。また、特許文献３には、被写体に向いた表示部に子供などの被写体の興味を引くような画像を順次切り替えて表示するとともに、操作者側の表示部に画像切替タイミングを表示し、被写体が反応するタイミングを予測できるようにしてシャッタチャンスを逃さなくする撮像装置が開示されている。
【先行技術文献】
【特許文献】
【０００４】
【特許文献１】特開２００５−０８６５０８号公報
【特許文献２】特開２００４−３６１９６１号公報
【特許文献３】特開２００４−２６６７７１号公報
【発明の概要】
【発明が解決しようとする課題】
【０００５】
従来の撮影装置では、シャッタボタン等のキー操作に対して、そのキー操作を検出して撮影の露光処理を開始するとともにシャッタ音の再生を開始するようになっている。そして、露光処理が完了すると、取得した撮影画像を液晶パネル等の表示部にプレビュー表示として表示する。
【０００６】
シャッタチャンスを逃さないための構成例として、上記特許文献２のように準備音を再生するもの、上記特許文献３のように被写体の興味を引くような画像を表示するものなどがある。しかしながら、このような従来例は、シャッタボタン等を操作したタイミングで撮影が行われるものであり、望ましいタイミングで撮影できない場合があった。
【０００７】
本発明は、上記事情に鑑みてなされたもので、その目的は、撮影の指示操作と撮影処理開始とのタイミングをずらして被写体が注目した望ましいタイミングで撮影を行うことを可能にした撮影装置を提供することにある。
【課題を解決するための手段】
【０００８】
本発明は、被写体を撮影して被写体画像を得る撮影部と、撮影指示の操作入力を行う操作入力部と、ユーザによる前記操作入力部の操作に基づき、前記撮影指示の操作タイミングに対して意図的にずらしたタイミングで前記撮影部の撮影処理を実行させるカメラ制御部と、前記撮影指示の操作入力があったときに被写体に対して視聴覚に感応する報知を行う報知部と、を備える撮影装置を提供する。
上記構成により、撮影の指示操作と撮影処理開始とのタイミングをずらして被写体が注目した望ましいタイミングで撮影を行うことが可能になる。また、被写体に対して視聴覚に感応する報知を行うことで、被写体の注意を引くことができ、撮影指示の操作後にずらした撮影タイミングにおいて被写体が注目した状態での被写体画像を得ることが可能になる。
【０００９】
また、本発明は、上記の撮影装置であって、前記操作入力部は、前記撮影指示の押下操作を行うためのシャッタキーを有し、前記カメラ制御部は、前記操作入力部の操作入力検出として、前記シャッタキーの押下操作時の押下検出と、このシャッタキーの他の操作または他のキーの操作に関する他の操作検出とを行い、前記押下検出後に前記他の操作検出が行われたときに前記撮影部の撮影処理を開始させるものを含む。
上記構成により、シャッタキーの押下検出後に、このシャッタキーの他の操作または他のキーの操作に関する他の操作検出が行われたときに撮影部の撮影処理を開始することで、撮影の指示操作と撮影処理開始とのタイミングを意図的にずらした撮影処理が可能になる。
【００１０】
また、本発明は、上記の撮影装置であって、前記カメラ制御部は、前記操作入力部の操作入力検出として、前記シャッタキーの押下操作時の押下検出と離し操作時の離し検出とを行い、前記押下検出後に前記離し検出が行われたときに前記撮影部の撮影処理を開始させるものを含む。
上記構成により、シャッタキーの押下検出後の離し検出によって撮影部の撮影処理を開始することで、撮影の指示操作と撮影処理開始とのタイミングを意図的にずらした撮影処理が可能になる。
【００１１】
また、本発明は、上記の撮影装置であって、前記操作入力部は、前記撮影指示の押下操作を行うためのシャッタキーを有し、前記カメラ制御部は、前記操作入力部の操作入力検出として、前記シャッタキーの押下操作時の押下検出を行い、前記押下検出が行われてから所定の設定タイマ時間の経過後に前記撮影部の撮影処理を開始させるものを含む。
上記構成により、シャッタキーの押下検出が行われてから所定の設定タイマ時間の経過後に撮影部の撮影処理を開始することで、撮影の指示操作と撮影処理開始とのタイミングを意図的にずらした撮影処理が可能になる。
【００１２】
また、本発明は、上記の撮影装置であって、前記報知部は、カメラのシャッタ音、任意の音、音楽、画像、光のうちの少なくとも一つによって被写体に対する報知を行うものを含む。
上記構成により、撮影指示の操作入力があったときにカメラのシャッタ音、任意の音、音楽、画像、光のうちの少なくとも一つを行うことで、被写体の注意を引くことができ、その後に撮影処理を開始することによって被写体が注目した状態での望ましい被写体画像を得ることが可能になる。
【００１３】
また、本発明は、上記の撮影装置であって、前記報知部は、前記撮影指示の操作入力があってから前記撮影部の撮影処理の実行開始までの期間において、装置内に記憶してある任意の音または音楽を再生出力するものを含む。
上記構成により、撮影指示の操作入力があってから撮影処理の実行開始までの期間に、任意の音または音楽を再生出力することで、被写体の注意を引いた状態で撮影処理を開始することが可能になる。
【００１４】
また、本発明は、上記の撮影装置であって、前記報知部は、前記撮影指示の操作入力があってから前記撮影部の撮影処理の実行開始までの期間において、装置内に記憶してある任意の動画像または静止画像を再生出力するものを含む。
上記構成により、撮影指示の操作入力があってから撮影処理の実行開始までの期間に、任意の動画像または静止画像を再生出力することで、被写体の注意を引いた状態で撮影処理を開始することが可能になる。
【００１５】
また、本発明は、上記の撮影装置であって、前記報知部は、前記撮影指示の操作入力があってから前記撮影部の撮影処理の実行開始までの期間において、任意の発光パターンによる光を点滅または点灯するものを含む。
上記構成により、撮影指示の操作入力があってから撮影処理の実行開始までの期間に、任意の発光パターンによる光を点滅または点灯することで、被写体の注意を引いた状態で撮影処理を開始することが可能になる。
【発明の効果】
【００１６】
本発明によれば、撮影の指示操作と撮影処理開始とのタイミングをずらして被写体が注目した望ましいタイミングで撮影を行うことを可能にした撮影装置を提供できる。
【図面の簡単な説明】
【００１７】
【図１】本発明の実施形態に係る撮影装置の構成を示すブロック図
【図２】第１の実施形態の撮影装置における各部の動作を示すタイミングチャート
【図３】第１の実施形態の撮影装置における撮影動作時の処理手順を示すフローチャート
【図４】第１の実施形態の撮影装置における撮影動作時の処理手順を示すフローチャート
【図５】第２の実施形態の撮影装置における各部の動作を示すタイミングチャート
【図６】第２の実施形態の撮影装置における撮影動作時の処理手順を示すフローチャート
【図７】本実施形態に係る撮影装置の外観構成の第１例を示す斜視図であり、（Ａ）は撮影面から見た図、（Ｂ）は（Ａ）を反対側から見た図
【図８】本実施形態に係る撮影装置の外観構成の第２例を示す斜視図であり、（Ａ）は撮影面から見た図、（Ｂ）は（Ａ）の変形例を示す図、（Ｃ）は（Ａ）または（Ｂ）を反対側から見た図
【図９】本実施形態に係る撮影装置の外観構成の第３例を示す斜視図であり、（Ａ）は撮影面から見た図、（Ｂ）は（Ａ）の変形例を示す図、（Ｃ）は（Ａ）または（Ｂ）を反対側から見た図
【図１０】本実施形態に係る撮影装置の外観構成の第４例を示す斜視図であり、（Ａ）は撮影面から見た図、（Ｂ）は（Ａ）の変形例を示す図、（Ｃ）は（Ａ）または（Ｂ）を反対側から見た図
【図１１】本実施形態に係る撮影装置の外観構成の第５例を示す斜視図であり、（Ａ）は筐体を開いた状態で内側から見た図、（Ｂ）は筐体を開いた状態で外側から見た図、（Ｃ）は筐体を閉じて横方向にスライドもしくは開いた状態を一方から見た図
【発明を実施するための形態】
【００１８】
以下の実施形態では、撮影装置の一例として、携帯電話装置などの携帯機器に撮影機能を設けた構成例について説明する。
【００１９】
（第１の実施形態）
図１は本発明の実施形態に係る撮影装置の構成を示すブロック図である。本実施形態の撮影装置は、カメラ部１０、フラッシュ部２０、デジタル制御部３０、ＬＥＤ制御部４０、第１液晶表示部４１、第２液晶表示部４２、ＬＥＤ表示部４３、アナログ制御部５０、スピーカ５１、キー操作部６０を有して構成される。
【００２０】
カメラ部１０は、撮影部として機能するもので、レンズ１１、撮像処理部１２、ＡＦドライバ１３、ＡＦ駆動部１４を有して構成され、被写体を撮影して被写体画像を示すカメラ画像信号を生成出力する。撮像処理部１２は、撮像素子、撮像素子ドライバ、撮像信号処理部を有し、レンズ１１により結像した被写体像を光電変換して被写体の撮像信号（カメラ画像信号）を得るものである。また、フラッシュ部２０に対して撮影モード、被写体の明るさ等に応じてフラッシュ用の発光制御信号を出力することで、フラッシュ制御を行う。ＡＦドライバ１３及びＡＦ駆動部１４は、デジタル制御部３０からのＡＦ制御信号に基づき、レンズ１１を駆動制御して被写体を合焦状態にするオートフォーカス処理を行うものである。フラッシュ部２０は、ＬＥＤ２１、駆動部２２を有して構成され、駆動部２２より駆動電力を出力してＬＥＤ２１を発光し、被写体を明るく照らすためのフラッシュ光を照射する。
【００２１】
デジタル制御部３０は、ＤＳＰ（Digital Signal Processor）、ＭＰＵ（Micro Processing Unit）等により構成され、カメラ制御部３１、映像再生部３２、音源再生部３３を有しており、撮影装置の各種制御及びデジタル信号処理を行うものである。また、デジタル制御部３０は、キー操作信号に基づくキー検出を行い、キー操作部６０による各種操作入力動作の検出を行う。カメラ制御部３１は、カメラ部１０の撮影に関する撮影制御等のカメラ制御を行う。映像再生部３２は、カメラ部１０で撮影した被写体画像または装置内に保存してある画像、映像等の再生制御を行う。音源再生部３３は、装置内に保存してある音源の再生制御を行う。メモリ３４は、不揮発性メモリ等により構成され、カメラ制御部３１で撮影した被写体画像データ、他より取り込んだ各種画像・映像データ、再生用の音源データなどを記憶する。
【００２２】
ＬＥＤ制御部４０は、デジタル制御部３０からの制御信号に基づき、ＬＥＤ表示部４３とフラッシュ部２０の駆動部２２に発光制御信号を出力し、ＬＥＤの発光制御を行う。ＬＥＤ表示部４３は、複数のＬＥＤが二次元に配置されて構成され、所定パターンの発光が可能なものである。ＬＥＤ制御部４０は、ＬＥＤ表示部４３に対して所定の発光パターンを指示する発光制御信号を出力する。
【００２３】
第１液晶表示部４１、第２液晶表示部４２は、それぞれ液晶表示装置により構成され、画像、文字等の各種表示を行うものである。第１液晶表示部４１は、メインの液晶表示部として設けられるもので、被写体画像のファインダー表示、撮影した被写体のプレビュー表示などを行う。第２液晶表示部４２は、サブの液晶表示部として設けられるもので、動作状態などの文字表示、被写体の注意を引くための映像表示などを行う。
【００２４】
アナログ制御部５０は、音量制御部５２を有して構成され、音源再生部３３で再生されたアナログの音響信号の処理を行う。アナログ制御部５０より出力される音響信号はスピーカ５１に入力され、スピーカ５１より音再生が行われる。
【００２５】
キー操作部６０は、操作入力部として機能するもので、シャッタキー６１、オートフォーカスキー６２を含む各種操作用のキー入力部を有して構成される。シャッタキー６１、オートフォーカスキー６２のキー操作信号は、アナログ制御部５０を介してデジタル制御部３０に入力され、キー操作に応じた処理が実行される。
【００２６】
上記構成において、映像再生部３２、音源再生部３３、ＬＥＤ制御部４０、第２液晶表示部４２、ＬＥＤ表示部４３、スピーカ５１等が被写体に対して視聴覚に感応する報知を行う報知部として機能する。
【００２７】
図２は第１の実施形態の撮影装置における各部の動作を示すタイミングチャートである。第１の実施形態では、シャッタキー６１の操作指示に対する撮影処理開始のタイミングをずらす動作として、シャッタキー６１の離し検出がなされた時点で撮影のカメラ処理を開始する。
【００２８】
ユーザによりシャッタキー６１が押下されて撮影指示のシャッタ操作が行われると、シャッタキー６１のキー操作信号がキー操作部６０から出力され、アナログ制御部５０を介してデジタル制御部３０に入力される。キー操作信号としては、キー押下からキー離しまでの期間に例えばハイレベルとなる信号が出力される。デジタル制御部３０では、キー操作信号の入力に基づいてキー検出が行われる。この場合は、キー操作信号の立ち上がりによるキー操作の押下検出と、キー操作信号の立ち下がりによるキー操作の離し検出とが実行される。
【００２９】
シャッタキー６１の押下検出がなされると、デジタル制御部３０の音源再生部３３により、シャッタ音の再生制御が行われてスピーカ出力される。この際、音源再生部３３の制御によって、メモリ３４からシャッタ音の音源データが読み出され、アナログ制御部５０で信号処理された後にスピーカ５１から再生出力される。
【００３０】
シャッタキー６１の押下検出の後に、離し検出がなされると、デジタル制御部３０のカメラ制御部３１によって撮影制御が行われ、カメラ部１０において撮影のカメラ処理として撮影露光が実行される。また、撮影モード、被写体の明るさ等により、フラッシュの発光条件を満たす場合は、カメラ制御部３１によって撮影露光のタイミングに合わせてフラッシュ制御が行われ、フラッシュ部２０に発光制御信号が入力されてフラッシュ部２０のＬＥＤ２１が発光する。
【００３１】
このとき、メインの表示部となる第１液晶表示部４１には、デジタル制御部３０の映像再生部３２の映像再生制御によって、撮影に関する映像表示が行われる。まず、シャッタキー６１の押下検出から離し検出が行われるまでの期間は、第１液晶表示部４１に被写体画像のプレビュー表示が行われる。プレビュー表示では、カメラ部１０でとらえた現在の被写体の動画像、またはオートフォーカスキー６２によりフォーカスロックした際の被写体の動画像などが表示される。シャッタキー６１の離し検出が行われ、カメラ部１０にて撮影露光が行われているときは、第１液晶表示部４１において「処理中」の表示が行われる。その後、カメラ部１０にて撮影処理が完了すると、第１液晶表示部４１において撮影画像の表示が行われる。
【００３２】
カメラ部１０にて撮影露光が完了したときには、デジタル制御部３０の音源再生部３３により、ユーザへの通知及び盗撮防止のために、完了音の再生制御が行われてスピーカ出力される。この際、音源再生部３３の制御によって、メモリ３４から音源データが読み出され、アナログ制御部５０で信号処理された後にスピーカ５１から再生出力される。完了音は、シャッタ音と異なるものでも同じものでもよい。シャッタ音及び完了音は、固定の音源を用いてもよいし、あらかじめ用意してある音源からユーザが任意に選択して設定可能にしてもよいし、ユーザが所望の音源を設定できるようにしてもよい。
【００３３】
上記のシャッタキー６１の押下検出から離し検出までの待機期間は、シャッタ音の代わりに、任意の指定音を再生するようにしてもよい。この場合、音源再生部３３の制御により、スピーカ５１から指定音が再生出力される。また、この待機期間において、被写体の興味を引くために任意の指定動画を再生するようにしてもよい。この場合、映像再生部３２の映像再生制御により、被写体に向けて配置されたサブの表示部となる第２液晶表示部４２において指定動画が再生表示され、スピーカ５１から指定動画音声が再生出力される。なお、第２液晶表示部４２に指定動画を再生するとともにシャッタ音をスピーカ５１から出力してもよい。また、動画の代わりに静止画を再生表示してもよい。また、上記待機期間において、ＬＥＤ表示部４３を発光させ、ＬＥＤの点滅または点灯を行うようにしてもよい。この場合、ＬＥＤ制御部４０の発光制御により、ＬＥＤ表示部４３が所定の発光パターンで点滅または点灯し、ＬＥＤの発光表示が行われる。これらの指定音、指定動画、発光パターンなどのいずれを再生するか、及び再生する内容については、ユーザが予め設定しておく。
【００３４】
図３及び図４は第１の実施形態の撮影装置における撮影動作時の処理手順を示すフローチャートである。まず、カメラ制御部３１において撮影タイミングの設定を行う（ステップＳ１１）。撮影タイミングとしては、シャッタキー６１の押下検出と連動させる「通常」の撮影タイミングと、シャッタキー６１の離し検出によって撮影露光を開始するようタイミングをずらした「ずらし有り」の撮影タイミングとのいずれかを設定する。
【００３５】
「通常」の撮影タイミングの場合、映像再生部３２の制御により第１液晶表示部４１にプレビュー画面を表示し（ステップＳ１２）、カメラ制御部３１にてシャッタキー６１の押下検出がなされたかどうかを判断する（ステップＳ１３）。ここで、シャッタキー６１の押下検出をした場合は、音源再生部３３の制御によりシャッタ音の再生を行い、カメラ制御部３１の制御によってカメラ部１０にて撮影処理を行う（ステップＳ１４）。
【００３６】
「ずらし有り」の撮影タイミングの場合、ずらし設定が初期設定であるか（報知設定なしであるか）どうかを判定する（ステップＳ１５）。ずらし設定は、シャッタキー６１の押下検出から離し検出までの撮影開始待機期間において実行する処理の内容を設定したものである。初期設定としては、撮影開始待機期間においてシャッタ音の再生のみを行うものとする。ずらし設定が初期設定（報知設定をしない）の場合、映像再生部３２の制御により第１液晶表示部４１にプレビュー画面を表示し（ステップＳ１６）、カメラ制御部３１にてシャッタキー６１の押下検出がなされたかどうかを判断する（ステップＳ１７）。ここで、シャッタキー６１の押下検出をした場合は、音源再生部３３の制御によりシャッタ音の再生を行い（ステップＳ１８）、プレビュー画面表示を継続する。その後、カメラ制御部３１にてシャッタキー６１の離し検出がなされたかどうかを判断する（ステップＳ１９）。
【００３７】
そして、カメラ制御部３１にてシャッタキー６１の離し検出をした場合は、カメラ制御部３１の制御によってカメラ部１０にて撮影処理を行う（ステップＳ２０）。そして、撮影処理が完了すると、音源再生部３３の制御により完了音の再生を行う（ステップＳ２１）。
【００３８】
ステップＳ１５において、ずらし設定が初期設定ではなく報知設定をする場合は、続いて、報知に関する他の処理を実行する設定を判断する（ステップＳ２２）。ここでは、撮影開始待機期間において実行する処理内容として、指定音を再生する音楽または音声再生の設定、指定動画を再生する動画再生の設定、所定の発光パターンの光点灯の設定のいずれであるかを判断する。音楽または音声再生の設定の場合、カメラ制御部３１の制御により再生データを選択し（ステップＳ２３）、映像再生部３２の制御により第１液晶表示部４１にプレビュー画面を表示し（ステップＳ２４）、カメラ制御部３１にてシャッタキー６１の押下検出がなされたかどうかを判断する（ステップＳ２５）。ここで、シャッタキー６１の押下検出をした場合は、音源再生部３３の制御により選択した音楽または音声の再生を行い（ステップＳ２６）、プレビュー画面表示を継続する。その後、カメラ制御部３１にてシャッタキー６１の離し検出がなされたかどうかを判断する（ステップＳ２７）。
【００３９】
そして、カメラ制御部３１にてシャッタキー６１の離し検出をした場合は、音源再生部３３の制御により音楽または音声の再生を停止し（ステップＳ２８）、カメラ制御部３１の制御によってカメラ部１０にて撮影処理を行う（ステップＳ２９）。そして、撮影処理が完了すると、音源再生部３３の制御により完了音の再生を行う（ステップＳ３０）。
【００４０】
ステップＳ２２において、動画再生の設定の場合、カメラ制御部３１の制御により再生データを選択し（ステップＳ３１）、映像再生部３２の制御により第１液晶表示部４１にプレビュー画面を表示し（ステップＳ３２）、カメラ制御部３１にてシャッタキー６１の押下検出がなされたかどうかを判断する（ステップＳ３３）。ここで、シャッタキー６１の押下検出をした場合は、映像再生部３２の制御により選択した動画の再生を行い（ステップＳ３４）、プレビュー画面表示を継続する。その後、カメラ制御部３１にてシャッタキー６１の離し検出がなされたかどうかを判断する（ステップＳ３５）。
【００４１】
そして、カメラ制御部３１にてシャッタキー６１の離し検出をした場合は、映像再生部３２の制御により動画の再生を停止し（ステップＳ３６）、カメラ制御部３１の制御によってカメラ部１０にて撮影処理を行う（ステップＳ３７）。そして、撮影処理が完了すると、音源再生部３３の制御により完了音の再生を行う（ステップＳ３８）。
【００４２】
また、ステップＳ２２において、光点灯の設定の場合、カメラ制御部３１の制御により光データを選択し（ステップＳ３９）、映像再生部３２の制御により第１液晶表示部４１にプレビュー画面を表示し（ステップＳ４０）、カメラ制御部３１にてシャッタキー６１の押下検出がなされたかどうかを判断する（ステップＳ４１）。ここで、シャッタキー６１の押下検出をした場合は、ＬＥＤ制御部４０の制御によりＬＥＤを発光させて光点灯を開始し（ステップＳ４２）、プレビュー画面表示を継続する。その後、カメラ制御部３１にてシャッタキー６１の離し検出がなされたかどうかを判断する（ステップＳ４３）。
【００４３】
そして、カメラ制御部３１にてシャッタキー６１の離し検出をした場合は、ＬＥＤ制御部４０の制御により光点灯を停止し（ステップＳ４４）、カメラ制御部３１の制御によってカメラ部１０にて撮影処理を行う（ステップＳ４５）。そして、撮影処理が完了すると、音源再生部３３の制御により完了音の再生を行う（ステップＳ４６）。
【００４４】
なお、上述した動作では、シャッタキーの押下検出の後の離し検出がなされたときに撮影処理を開始する例を示したが、これに限らず、離し検出の代わりに、シャッタキーの２度押しなどの他の操作の検出、あるいはシャッタキー以外の他のキーの操作の検出など、押下検出の後の別の操作検出によって撮影処理を開始するようにしてもよい。また、被写体の注意を引くための音、画像、光等の再生は、それぞれ単独で行ってもよいし、音と画像、音と光、画像と光など、複数のものを組み合わせて報知するようにしてもよい。
【００４５】
このように本実施形態によれば、シャッタキーの押下操作時に音、画像、光等を発して被写体の注意を引くようにし、その後の離し操作の検出によって撮影処理を開始することで、撮影の操作タイミングと撮影タイミングとを意図的にずらすようにし、被写体が注目した状態で撮影を行うことができる。この場合、ユーザ操作に基づき、ユーザが意図するずれたタイミングで撮影が可能である。また、実際の撮影までの時差の期間において、設定した音、映像等を再生することで、被写体が注目した状態、あるいは意図した表情、動作を導いて撮影ができる。この場合、シャッタキーの押下で音、映像等を再生中に、被写体の状態を見ながら、任意のタイミングにてシャッタキーを離して撮影ができるため、カメラに視線を向けた表情以外にも、笑った顔、何かの仕草をしている姿など、意図した表情の画像（笑っている顔など）、あるいは表現豊かな画像（映像を見ながら真似して踊る姿など）を撮影することができる。したがって、小さい子供、ペットなどのシャッタチャンスを合わせるのが難しい被写体に対しても、望ましいタイミングで撮影して被写体画像を得ることが可能であり、被写体が撮影装置を注目した表情を撮影することができる。また、キーを押してから離すまでのキー操作の間のみ、音、映像等を再生することで、被写体の注目率を上げ、かつ無駄に消費電力を増やさないようにする効果が得られる。
【００４６】
（第２の実施形態）
第２の実施形態は、第１の実施形態の動作を変更した例であり、シャッタキー６１の操作指示に対する撮影処理開始のタイミングをずらす動作として、ソフトタイマを用いてシャッタキー６１の押下検出から所定時間経過後に撮影のカメラ処理を開始するものである。カメラ制御部３１は、内部にソフトタイマを備えており、撮影処理開始の待機を行うための所定の設定タイマ時間の計時を行う。撮影処理に関する機能構成以外は第１の実施形態と同様であり、ここでは第１の実施形態と異なる点を中心に説明する。
【００４７】
図５は第２の実施形態の撮影装置における各部の動作を示すタイミングチャートである。ユーザによりシャッタキー６１が押下されて撮影指示のシャッタ操作が行われると、シャッタキー６１のキー操作信号がキー操作部６０から出力され、アナログ制御部５０を介してデジタル制御部３０に入力され、キー検出が行われる。
【００４８】
シャッタキー６１の押下検出がなされると、デジタル制御部３０の音源再生部３３により、シャッタ音の再生制御が行われてスピーカ出力される。この際、音源再生部３３の制御によって、メモリ３４から音源データが読み出され、アナログ制御部５０で信号処理された後にスピーカ５１から再生出力される。
【００４９】
また、シャッタキー６１の押下検出の時点で、デジタル制御部３０のカメラ制御部３１により、設定タイマ時間の計時が行われ、この期間を待機する。設定タイマ時間が経過すると、カメラ制御部３１によって撮影制御が行われ、カメラ部１０において撮影のカメラ処理として撮影露光が実行される。また、フラッシュの発光条件を満たす場合は、カメラ制御部３１によって撮影露光のタイミングに合わせてフラッシュ制御が行われ、フラッシュ部２０のＬＥＤ２１が発光する。
【００５０】
このとき、メインの表示部となる第１液晶表示部４１には、デジタル制御部３０の映像再生部３２の映像再生制御によって、撮影に関する映像表示が行われる。まず、シャッタキー６１の押下検出から設定タイマ時間経過するまでの期間は、第１液晶表示部４１に被写体画像のプレビュー表示が行われる。設定タイマ時間経過後、カメラ部１０にて撮影露光が行われているときは、第１液晶表示部４１において「処理中」の表示が行われる。その後、カメラ部１０にて撮影処理が完了すると、第１液晶表示部４１において撮影画像の表示が行われる。
【００５１】
カメラ部１０にて撮影露光が完了したときには、デジタル制御部３０の音源再生部３３により、完了音の再生制御が行われてスピーカ出力される。この際、音源再生部３３の制御によって、メモリ３４から音源データが読み出され、アナログ制御部５０で信号処理された後にスピーカ５１から再生出力される。
【００５２】
上記のシャッタキー６１の押下検出から設定タイマ時間経過までの待機期間は、シャッタ音の代わりに、任意の指定音を再生するようにしてもよい。また、この待機期間において、被写体の興味を引くために第２液晶表示部４２に任意の指定動画を再生するようにしてもよい。なお、第２液晶表示部４２に指定動画を再生するとともにシャッタ音をスピーカ５１から出力してもよい。また、動画の代わりに静止画を再生表示してもよい。また、上記待機期間において、ＬＥＤ表示部４３を発光させ、ＬＥＤの点滅または点灯を行うようにしてもよい。
【００５３】
図６は第２の実施形態の撮影装置における撮影動作時の処理手順を示すフローチャートである。まず、カメラ制御部３１において撮影タイミングの設定を行う（ステップＳ５１）。撮影タイミングとしては、シャッタキー６１の押下検出と連動させる「通常」の撮影タイミングと、設定タイマ時間の待機後に撮影露光を開始するようタイミングをずらした「ずらし有り」の撮影タイミングとのいずれかを設定する。
【００５４】
「通常」の撮影タイミングの場合、図３のステップＳ１２〜Ｓ１４と同様、ステップＳ５２〜Ｓ５４において、第１液晶表示部４１にプレビュー画面を表示し、シャッタキー６１の押下検出をした場合は、シャッタキー６１の操作に連動して、シャッタ音の再生を行うとともにカメラ部１０にて撮影処理を行う。
【００５５】
「ずらし有り」の撮影タイミングの場合、ずらし時間設定が固定値設定か任意設定かを判定する（ステップＳ５５）。ずらし時間設定は、シャッタキー６１の押下検出から撮影処理開始まで待機する設定タイマ時間を設定したものである。ずらし時間設定が固定値設定の場合、ユーザ操作に基づいてカメラ制御部３１により予め設定されている固定値から設定タイマ時間を設定する（ステップＳ５６）。固定値としては、例えば１秒、２秒、３秒…等の固定値を用意してこの中から適宜選択する。
【００５６】
その後、映像再生部３２の制御により第１液晶表示部４１にプレビュー画面を表示し（ステップＳ５７）、カメラ制御部３１にてシャッタキー６１の押下検出がなされたかどうかを判断する（ステップＳ５８）。ここで、シャッタキー６１の押下検出をした場合は、音源再生部３３の制御によりシャッタ音の再生を行い、固定値の設定タイマ時間を待機する（ステップＳ５９）。その後、カメラ制御部３１にて設定タイマ時間が完了したかどうかを判断し（ステップＳ６０）、設定タイマ時間が完了した場合は、カメラ制御部３１の制御によってカメラ部１０にて撮影処理を行う（ステップＳ６１）。そして、撮影処理が完了すると、音源再生部３３の制御により完了音の再生を行う（ステップＳ６２）。
【００５７】
ステップＳ５５において、ずらし時間設定が任意設定の場合、ユーザ操作に基づいてカメラ制御部３１により任意の設定タイマ時間を設定する（ステップＳ６３）。その後、映像再生部３２の制御により第１液晶表示部４１にプレビュー画面を表示し（ステップＳ６４）、カメラ制御部３１にてシャッタキー６１の押下検出がなされたかどうかを判断する（ステップＳ６５）。ここで、シャッタキー６１の押下検出をした場合は、音源再生部３３の制御によりシャッタ音の再生を行い、任意の設定タイマ時間を待機する（ステップＳ６６）。その後、カメラ制御部３１にて設定タイマ時間が完了したかどうかを判断し（ステップＳ６７）、設定タイマ時間が完了した場合は、カメラ制御部３１の制御によってカメラ部１０にて撮影処理を行う（ステップＳ６８）。そして、撮影処理が完了すると、音源再生部３３の制御により完了音の再生を行う（ステップＳ６９）。
【００５８】
なお、設定タイマ時間は、固定値を選択する、任意の値を設定する他に、所定の設定タイマ時間が設定された撮影モードをユーザが選択するようにしてもよい。
【００５９】
このように本実施形態によれば、シャッタキーの押下操作時に音、画像、光等を発して被写体の注意を引くようにし、所定の設定タイマ時間の経過後に撮影処理を開始することで、第１の実施形態と同様の効果が得られ、撮影の操作タイミングと撮影タイミングとを意図的にずらして、被写体が注目した状態で撮影を行うことができる。この場合、所定の固定値、あるいは任意の設定値を設定することによって、所望の撮影タイミングのずれを実現することができる。
【００６０】
（装置の外観構成例）
以下に、本実施形態の撮影装置を携帯電話装置の筐体に適用した場合の外観構成例を示す。図７は本実施形態に係る撮影装置の外観構成の第１例を示す斜視図であり、（Ａ）は撮影面から見た図、（Ｂ）は（Ａ）を反対側から見た図である。
【００６１】
第１例の撮影装置は、第１筐体１０１と第２筐体１０２とがヒンジ部１０３により回動可能に連結された折り畳み型の筐体により構成される。撮影装置としては、第１筐体１０１と第２筐体１０２とを閉じた状態で主に使用される。第２筐体１０２の外側の面には、カメラ部１１１、フラッシュ部１１２、スピーカ部１１３が配置され、この面が撮影面となっている。第２筐体１０２の側面には、筐体を閉じた状態でシャッタキーとして機能するサイドキー部１１９が配置されている。第１筐体１０１の外側の面には、撮影時に第１液晶表示部４１として機能するサブ液晶部１１６が配置されている。
【００６２】
この第１例では、サブ液晶部１１６に撮影画像のプレビュー表示を行いながら、カメラ部１１１及びフラッシュ部１１２によって被写体の撮影を行う。このとき、スピーカ部１１３より被写体の興味を引くための音楽または音声を再生しながら、シャッタキーの押下操作に対して撮影タイミングをずらして撮影処理を実行する。なお、サイドキー部１１９は第１筐体１０１に設けてもよい。また、スピーカ部１１３は、被写体において音を聴取できる構造であれば、カメラ部１１１と同じ向きに限らず任意に設けてもよい。
【００６３】
図８は本実施形態に係る撮影装置の外観構成の第２例を示す斜視図であり、（Ａ）は撮影面から見た図、（Ｂ）は（Ａ）の変形例を示す図、（Ｃ）は（Ａ）または（Ｂ）を反対側から見た図である。
【００６４】
第２例の撮影装置は、第１筐体１２１と第２筐体１２２とがヒンジ部１２３により回動可能に連結された折り畳み型の筐体により構成される。撮影装置としては、第１筐体１２１と第２筐体１２２とを開いた状態で主に使用される。第１筐体１２１の外側の面には、カメラ部１１１、フラッシュ部１１２、サブ液晶部１１６が配置されている。第２例では、サブ液晶部１１６は撮影時に第２液晶表示部４２として機能する。第２筐体１２２の外側の面にはスピーカ部１１３が配置され、第２筐体１２２の側面にはサイドキー部１１９が配置されている。図８（Ｂ）の変形例は、図８（Ａ）におけるサブ液晶部１１６の代わりに、第１筐体１２１の外側の面にＬＥＤ表示部１１７を配置したものである。第１筐体１２１の内側の面には、撮影時に第１液晶表示部４１として機能するメイン液晶部１１５が配置され、第２筐体１２２の内側の面には、筐体を開いた状態でシャッタキー、オートフォーカスキー、及びその他のキーとして機能する操作キーを含むメインキー部１１８が配置されている。第２例の場合、カメラ部１１１、フラッシュ部１１２、サブ液晶部１１６またはＬＥＤ表示部１１７が、同一の筐体面、または略同一方向に向いた面に配置されている。
【００６５】
この第２例では、メイン液晶部１１５に撮影画像のプレビュー表示を行いながら、カメラ部１１１及びフラッシュ部１１２によって被写体の撮影を行う。このとき、被写体の興味を引くために、スピーカ部１１３より音楽または音声の再生、サブ液晶部１１６において動画の再生表示、ＬＥＤ表示部１１７において所定パターンの発光などの少なくとも一つを行いながら、シャッタキーの押下操作に対して撮影タイミングをずらして撮影処理を実行する。ここで、被写体の興味を引くための視覚効果を出す構成部であるサブ液晶部１１６、ＬＥＤ表示部１１７等は、撮影するカメラ部１１１と同じ向きに配置される。なお、カメラ部１１１、フラッシュ部１１２、サブ液晶部１１６、ＬＥＤ表示部１１７等は、第２筐体１２２に設けてもよい。また、サブ液晶部１１６とＬＥＤ表示部１１７の両方を設けてもよい。また、スピーカ部１１３は、被写体において音を聴取できる構造であれば、カメラ部１１１と同じ向きに限らず任意に設けてもよい。
【００６６】
図９は本実施形態に係る撮影装置の外観構成の第３例を示す斜視図であり、（Ａ）は撮影面から見た図、（Ｂ）は（Ａ）の変形例を示す図、（Ｃ）は（Ａ）または（Ｂ）を反対側から見た図である。
【００６７】
第３例の撮影装置は、第１筐体１３１と第２筐体１３２とがヒンジ部１３３により回動可能に連結された折り畳み型の筐体により構成される。撮影装置としては、第１筐体１３１と第２筐体１３２とを開いた状態で主に使用される。この第３例は、カメラ部１１１及びフラッシュ部１１２とサブ液晶部１１６、ＬＥＤ表示部１１７とを別の筐体に設けた例である。第１筐体１３１の外側の面には、撮影時に第２液晶表示部４２として機能するサブ液晶部１１６が配置されている。第２筐体１３２の外側の面には、カメラ部１１１、フラッシュ部１１２、スピーカ部１１３が配置され、第２筐体１３２の側面にはサイドキー部１１９が配置されている。図９（Ｂ）の変形例は、図９（Ａ）におけるサブ液晶部１１６の代わりに、第１筐体１３１の外側の面にＬＥＤ表示部１１７を配置したものである。第１筐体１３１の内側の面には、撮影時に第１液晶表示部４１として機能するメイン液晶部１１５が配置され、第２筐体１３２の内側の面には、筐体を開いた状態でシャッタキー、オートフォーカスキー、及びその他のキーとして機能する操作キーを含むメインキー部１１８が配置されている。
【００６８】
図１０は本実施形態に係る撮影装置の外観構成の第４例を示す斜視図であり、（Ａ）は撮影面から見た図、（Ｂ）は（Ａ）の変形例を示す図、（Ｃ）は（Ａ）または（Ｂ）を反対側から見た図である。
【００６９】
第４例の撮影装置は、第１筐体１４１と第２筐体１４２とが互いにスライドするスライド型の筐体により構成される。なお、ヒンジ部によって回動可能な構造を有していてもよい。撮影装置としては、第１筐体１４１と第２筐体１４２とをスライドさせて開いた状態で主に使用される。この第４例は、カメラ部１１１及びフラッシュ部１１２とサブ液晶部１１６、ＬＥＤ表示部１１７とを別の筐体に設けたもう１つの例である。第１筐体１４１の外側の面には、撮影時に第２液晶表示部４２として機能するサブ液晶部１１６が配置されている。第２筐体１４２の外側の面には、カメラ部１１１、フラッシュ部１１２、スピーカ部１１３が配置され、第２筐体１４２の側面にはサイドキー部１１９が配置されている。図１０（Ｂ）の変形例は、図１０（Ａ）におけるサブ液晶部１１６の代わりに、第１筐体１４１の外側の面にＬＥＤ表示部１１７を配置したものである。第１筐体１４１の内側の面には、撮影時に第１液晶表示部４１として機能するメイン液晶部１１５が配置され、第２筐体１４２の内側の面には、筐体を開いた状態でシャッタキー、オートフォーカスキー、及びその他のキーとして機能する操作キーを含むメインキー部１１８が配置されている。
【００７０】
これらの第３例及び第４例では、メイン液晶部１１５に撮影画像のプレビュー表示を行いながら、カメラ部１１１及びフラッシュ部１１２によって被写体の撮影を行う。このとき、被写体の興味を引くために、スピーカ部１１３より音楽または音声の再生、サブ液晶部１１６において動画の再生表示、ＬＥＤ表示部１１７において所定パターンの発光などの少なくとも一つを行いながら、シャッタキーの押下操作に対して撮影タイミングをずらして撮影処理を実行する。ここで、被写体の興味を引くための視覚効果を出す構成部であるサブ液晶部１１６、ＬＥＤ表示部１１７等は、撮影するカメラ部１１１とは別筐体にあり、撮影時にカメラ部１１１と同じ向きになるように配置される。なお、サブ液晶部１１６とＬＥＤ表示部１１７の両方を設けてもよい。また、スピーカ部１１３は、被写体において音を聴取できる構造であれば、カメラ部１１１と同じ向きに限らず任意に設けてもよい。
【００７１】
図１１は本実施形態に係る撮影装置の外観構成の第５例を示す斜視図であり、（Ａ）は筐体を開いた状態で内側から見た図、（Ｂ）は筐体を開いた状態で外側から見た図、（Ｃ）は筐体を閉じて横方向にスライドもしくは開いた状態を一方から見た図である。
【００７２】
第５例の撮影装置は、ユーザ自身を含む被写体を撮影する自分撮りモードで使用する場合の３つの例を示したものである。自分撮りモードにおいても、シャッタキーの押下操作に対して撮影タイミングをずらした撮影処理の実行が可能である。図１１（Ａ）、（Ｂ）に示すように、第１筐体１５１と第２筐体１５２とがヒンジ部１５３により回動可能に連結された折り畳み型の筐体により構成される。また、図１１（Ｃ）に示すように、第１筐体１５１が横にスライドもしくは開く筐体であってもよい。第１筐体１５１の内側の面には、メイン液晶部１１５、第２カメラ部１１４が配置され、第２筐体１５２の内側の面には、シャッタキー、オートフォーカスキー、及びその他のキーとして機能する操作キーを含むメインキー部１１８が配置されている。また、第２筐体１５２の側面にはシャッタキーとして機能するサイドキー部１１９が配置されている。また、第１筐体１５１の外側の面にはサブ液晶部１１６が配置され、第２筐体１５２の外側の面には、カメラ部１１１、フラッシュ部１１２、スピーカ部１１３が配置されている。
【００７３】
図１１（Ａ）の状態では、メイン液晶部１１５において撮影画像のプレビュー表示と被写体の興味を引くための動画の再生表示とを行いながら、インカメラの第２カメラ部１１４によってシャッタキーの押下操作に対して撮影タイミングをずらして自分撮りの撮影処理を実行する。また、図１１（Ｂ）及び図１１（Ｃ）の状態では、サブ液晶部１１６において撮影画像のプレビュー表示と被写体の興味を引くための動画の再生表示とを行いながら、アウトカメラのカメラ部１１１によってシャッタキーの押下操作に対して撮影タイミングをずらして自分撮りの撮影処理を実行する。自分撮りモードにおいて、被写体の興味を引くための動画の再生表示を行う場合、図示例のように１つの液晶表示部を分割してプレビュー表示と動画再生とを行うか、あるいは、動画再生専用の第３の液晶表示部を設けるようにする。また、スピーカ部１１３より被写体の興味を引くための音楽または音声の再生を行ってもよい。なお、サブ液晶部１１６の代わりにＬＥＤ表示部１１７を設けたり、サブ液晶部１１６とＬＥＤ表示部１１７の両方を設けてもよい。図１１（Ａ）の状態においてＬＥＤによる点滅または点灯を行う場合は、メインキー部１１８に設けたキーＬＥＤによって代用することができる。
【００７４】
このように、自分撮りモードに適用することで、ユーザ自身と他の被写体とを注目させた状態で撮影することができる。
【００７５】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【産業上の利用可能性】
【００７６】
本発明は、撮影の指示操作と撮影処理開始とのタイミングをずらして被写体が注目した望ましいタイミングで撮影を行うことが可能となる効果を有し、カメラ機能を持つ携帯電話装置、携帯情報端末、デジタルカメラなどの撮影装置等として有用である。
【符号の説明】
【００７７】
１０  カメラ部
１１  レンズ
１２  撮像処理部
１３  ＡＦドライバ
１４  ＡＦ駆動部
２０  フラッシュ部
２１  ＬＥＤ
２２  駆動部
３０  デジタル制御部
３１  カメラ制御部
３２  映像再生部
３３  音源再生部
３４  メモリ
４０  ＬＥＤ制御部
４１  第１液晶表示部
４２  第２液晶表示部
４３  ＬＥＤ表示部
５０  アナログ制御部
５１  スピーカ
５２  音量制御部
６０  キー操作部
６１  シャッタキー
６２  オートフォーカスキー
１０１、１２１、１３１、１４１、１５１  第１筐体
１０２、１２２、１３２、１４２、１５２  第２筐体
１１１  カメラ部
１１２  フラッシュ部
１１３  スピーカ部
１１４  第２カメラ部
１１５  メイン液晶部
１１６  サブ液晶部
１１７  ＬＥＤ表示部
１１８  メインキー部
１１９  サイドキー部
【図１】
2011045012.tif 000003
【図２】
2011045012.tif 000004
【図３】
2011045012.tif 000005
【図４】
2011045012.tif 000006
【図５】
2011045012.tif 000007
【図６】
2011045012.tif 000008
【図７】
2011045012.tif 000009
【図８】
2011045012.tif 000010
【図９】
2011045012.tif 000011
【図１０】
2011045012.tif 000012
【図１１】
2011045012.tif 000013